(57)【要約】【課題】樹脂フィルム製袋の一枚づつの取出が容易で、且つ、保持状態が崩れることがなく待機保持できるようにする。【解決手段】前後方向に棒状に延びて位置するハンガー３０と、前記ハンガーに駕跨状に支持される押さえカバー４０とからなり、前記押さえカバーは、前記ハンガーの上面に当接する上面部４１、該上面部の両側縁から下方に突出した側面部４２を有し、前記上面部の前端部に取出開口４１ａが形成されると共に前記側面部の前記取出開口に対応した部分に接触用切欠部４２ａが形成され、前記ハンガーと押さえカバーとの間に樹脂フィルム製袋５０を駕跨状に保持しうるようにした。【選択図】図３
2009196697.tif 000002
【特許請求の範囲】
【請求項１】
前後方向に棒状に延びて位置するハンガーと、
前記ハンガーに駕跨状に支持される押さえカバーとからなり、
前記押さえカバーは、前記ハンガーの上面に当接する上面部、該上面部の両側縁から下方に突出した側面部を有し、前記上面部の前端部に取出開口が形成されると共に前記側面部の前記取出開口に対応した部分に接触用切欠部が形成され、
前記ハンガーと押さえカバーとの間に樹脂フィルム製袋を駕跨状に保持しうるようにした
ことを特徴とする樹脂フィルム製袋の待機保持装置。
【請求項２】
前記押さえカバーを前記ハンガーの長手方向において位置決めする位置決め手段を有する
ことを特徴とする請求項１に記載の樹脂フィルム製袋の待機保持装置。
【請求項３】
複数のハンガーが左右方向に並列され、前記それぞれのハンガーに押さえカバーが併設されている
ことを特徴とする請求項１又は請求項２に記載の樹脂フィルム製袋の待機保持装置。
【請求項４】
前記複数のハンガーが固定フレームに引き出し自在に設けられたハンガー枠に設けられている
ことを特徴とする請求項３に記載の樹脂フィルム製袋の待機保持装置。
【発明の詳細な説明】
【技術分野】
【０００１】
本発明は新規な樹脂フィルム製袋の待機保持装置に関する。詳しくは、樹脂フィルム製袋を大量に扱う場所、例えば、コンビニエンスストア、スーパーストア等のレジカウンター（会計カウンター）において、大量の保持及び取出を容易にする技術に関する。
【背景技術】
【０００２】
コンビニエンスストアやスーパーストアでは、一般にレジ袋と称される、ポリ袋（ポリオレフィン（polyolefin）のフィルムで形成された袋）やビニール袋（塩化ビニール（vinyl chloride）のフィルムで形成された袋）等の樹脂フィルム製袋（以下、「レジ袋」という）が買い物客に商品を収容して持ち帰るために渡されている。
【０００３】
そのために、レジカウンターには大量のレジ袋が保持されている。レジカウンターでのレジ袋の保持の方法は、例えば、レジ袋を畳んだ状態で積み重ねておく、いわゆる平積み法、多数のレジ袋を重ねたものの一隅をＳカンでつり下げておくつり下げ法などの方法が適用されている（例えば、特許文献１参照）。
【０００４】
【特許文献１】特開２００６−２７８９７号公報
【発明の開示】
【発明が解決しようとする課題】
【０００５】
前記した平積み法では上から順番に取り出している間に、積み重ね状態が崩れていったり、また、取出自体も下に重なっているものが一緒について来るなど、作業性が悪い。また、前記つり下げ法では、レジ袋のＳカンに引っかけている部分が引きちぎれて、レジ袋自体が損傷され、且つ、一枚づつの取出がしづらいという問題がある。
【０００６】
本発明は前記した問題点に鑑み、樹脂フィルム製袋の一枚づつの取出が容易で、且つ、保持状態が崩れることがなく待機保持できるようにすることを課題とする。
【課題を解決するための手段】
【０００７】
本発明樹脂フィルム製袋の待機保持装置は、前記した課題を解決するために、前後方向に棒状に延びて位置するハンガーと、前記ハンガーに駕跨状に支持される押さえカバーとからなり、前記押さえカバーは、前記ハンガーの上面に当接する上面部、該上面部の両側縁から下方に突出した側面部を有し、前記上面部の前端部に取出開口が形成されると共に前記側面部の前記取出開口に対応した部分に接触用切欠部が形成され、前記ハンガーと押さえカバーとの間に樹脂フィルム製袋を駕跨状に保持しうるようにしたものである。
【０００８】
従って、本発明樹脂フィルム製袋の待機保持装置にあっては、複数枚が重ねられた樹脂フィルム製袋がハンガーと押さえカバーとに挟まれて保持され、押さえカバーの接触用切欠部から樹脂フィルム製袋が外に臨まされる。
【発明の効果】
【０００９】
本発明樹脂フィルム製袋の待機保持装置は、前後方向に棒状に延びて位置するハンガーと、前記ハンガーに駕跨状に支持される押さえカバーとからなり、前記押さえカバーは、前記ハンガーの上面に当接する上面部、該上面部の両側縁から下方に突出した側面部を有し、前記上面部の前端部に取出開口が形成されると共に前記側面部の前記取出開口に対応した部分に接触用切欠部が形成され、前記ハンガーと押さえカバーとの間に樹脂フィルム製袋を駕跨状に保持しうるようにしたことを特徴とする。
【００１０】
従って、本発明樹脂フィルム製袋の待機保持装置にあっては、複数枚が重ねられた樹脂フィルム製袋がハンガーと押さえカバーとに挟まれて保持され、押さえカバーの接触用切欠部から樹脂フィルム製袋が外に臨まされる。そのため、最上部に重ねられている樹脂フィルム製袋のうち２つの接触用切欠部から外に臨んでいる部分を両側から指で挟むようにして上方へ引き上げるだけで、当該樹脂フィルム製袋は押さえカバーの取出開口及び接触用切欠部から斜め上方へ引き出される。従って、樹脂フィルム製袋の取出を容易に行うことができる。また、樹脂フィルム製袋の保持は、多数枚が重ねられた樹脂フィルム製袋の束をハンガーに駕跨状に支持し、その上に押さえカバーを重ねて載置するだけで完了するので、樹脂フィルム製袋のセットがきわめて容易である。
【００１１】
請求項２に記載した発明にあっては、前記押さえカバーを前記ハンガーの長手方向において位置決めする位置決め手段を有するので、樹脂フィルム製袋の取出回数が多くなっても、ハンガーに対する押さえカバーの位置がずれることがなく、安定して樹脂フィルム製袋を容易に取出することができる。
【００１２】
請求項３に記載した発明にあっては、複数のハンガーが左右方向に並列され、前記それぞれのハンガーに押さえカバーが併設されているので、異なる大きさの樹脂フィルム製袋を待機保持しておくことができる。
【００１３】
請求項４に記載した発明にあっては、前記複数のハンガーが固定フレームに引き出し自在に設けられたハンガー枠に設けられていることを特徴とするので、本装置に樹脂フィルム製袋をセットする作業をハンガー枠を手前に引き出して行うことができ、セットの作業性が良好である。
【発明を実施するための最良の形態】
【００１４】
以下に、本発明樹脂フィルム製袋の待機保持装置を実施するための最良の形態について図面を参照して説明する。
【００１５】
まず、図１乃至図４を参照して樹脂フィルム製袋の待機保持装置１の概要を説明する。
【００１６】
床面上に設置されるテーブル状をした固定フレーム１０にハンガー枠２０が引き出し可能に取り付けられ、該ハンガー枠２０に複数の棒状をしたハンガー３０が左右方向に並んで配列されている。そして、前記各ハンガー３０に押さえカバー４０が駕跨状に、すなわち、中央部がハンガー３０上に載置され、両側部が下方へ垂れ下がった状態に載置される。
【００１７】
そして、押さえカバー４０の下に２つ折りにしたレジ袋５０をハンガー３０に駕跨状に載置する。レジ袋５０をセットする場合には、ハンガー枠２０を図４に示すように固定フレーム１０から前方へ引き出し、その状態で、押さえカバー４０をハンガー３０から取り除き、多数枚を重ねたレジ袋５０の束５０Ａを２つ折りにし、該２つ折りしたレジ袋束５０Ａをハンガー３０に駕跨状に載置、すなわち、図１に示すように、逆Ｕ上にした両側が前方から見てハンガー３０の両側から垂れ下がるように引っかける。それから、押さえカバー４０をレジ袋束５０Ａの上に載置する。その後、ハンガー枠２０を固定フレーム１０内に押し込んでレジ袋５０のセットが完了する。
【００１８】
次に、図５乃至図７を参照してハンガー３０について詳細に説明する。
【００１９】
ハンガー３０は前後方向に棒状に延びる主部３１を備え、前記主部３１の前後両端にガイド片３２、３３が固定される。ガイド片３２の後縁及びガイド片３３の前縁からは突出片３２ａ、３３ａが下方へ突出している。そして、ガイド片３２、３３の下面にマグネット３２ｂ、３３ｂが固定されている。
【００２０】
前側のガイド片３２の突出片３２ａのやや後方に離間して主部３１から前側規制片３４が下方へ突出している。前記主部３１の前端寄りの位置の一側部から側方規制片３５が下方へ突出している。該側方規制片３５の前端は前記前側規制片３４に接触している。
【００２１】
主部３１の前端部には左右方向へ突出された摘子用突部３６、３６が設けられている。摘子用突部３６、３６は外方へ凸の三角形状に形成されている（図７参照）。
【００２２】
図８及び図９を参照してハンガー枠２０について詳細に説明する。
【００２３】
ハンガー枠２０は平面形状で四角い枠状に形成され、前端部にはハンガー枠２０の左右幅よりやや短い取手２１が取り付けられている。該取手２１は横幅の長いＵ字状を成している。そして、該ハンガー枠２０の少なくとも前後の枠片２２、２３は磁性材料、例えば、スケールで形成されている。
【００２４】
前記ハンガー３０は複数が前記ハンガー枠２０に左右方向に並んで取り付けられる。すなわち、ハンガー３０は前側ガイド片３２の突出片３２ａがハンガー枠２０の前側枠片２２の後面に接触し、後側ガイド片３３の突出片３３ａがハンガー枠２０の後側枠片２３の前面に接触するように位置した状態で、前側のマグネット３２ｂが前側枠片２２の上面に吸着され、後側のマグネット３３ｂが後側枠片２３の上面に吸着される。このようにして、ハンガー３０はハンガー枠２０に取り付けられる。
【００２５】
前記したように、ハンガー３０はマグネット３２ｂ、３３ｂの吸着によってハンガー枠２０に取り付けられるので、取付作業が簡単であり、また、位置の移動も簡単に行うことができる。従って、使用頻度の高いサイズのレジ袋５０を最も取出易い位置へと移動させたりする位置替え作業を当該レジ袋５０をハンガー３０と押さえカバー４０との間にセットしたままの状態で行うことができる。
【００２６】
図１０乃至図１２に押さえカバー４０の詳細を示す。
【００２７】
押さえカバー４０は前後方向にやや長い上面部４１と該上面部４１の左右両側縁から下方へ突出した側面部４２とが一体的に形成されて成る。前記上面部４１はほぼ水平に位置する中央部４１ａと該中央部４１ａの両側縁から斜め下方へ延びる傾斜面部４１ｂとから成る。そして、前記傾斜面部４１ｂは中央部４１ａに対して４５度前後の傾斜角を有している。なお、傾斜面部４１ｂの傾斜角は４５度前後に限らず、２０〜７０度の範囲の傾斜角であれば、十分にその機能を発揮する。
【００２８】
前記上面部４１の前端部には前端に達する取出開口４１ｃが形成されている。また、前記側面部４２の前記取出開口４１ｃに対応した部分には上方及び前方に開口した接触用切欠部４２ａが形成されている。さらに、前記側面部４２の前端縁の上下方向におけるほぼ中央から下端にかけた部分に互いに近づく方向へ突出した位置規制片４２ｂが形成されている。
【００２９】
前記押さえカバー４０はハンガー３０に駕跨状に載置されたレジ袋束５０Ａの上に重ねるように位置される。このとき、押さえカバー４０の２つの位置規制片４２ｂがハンガー３０の前側ガイド片３２の突出片３２ａと前側規制片３４との間に位置するようにされる。これによって、押さえカバー４０の位置規制片４２ｂがハンガー３０の前側ガイド片３２の突出片３２ａと前側規制片３４とによって前後に移動することを阻止されるため、押さえカバー４０の前後方向における位置が規定される。すなわち、前記前側ガイド片３２の突出片３２ａ、前側規制片３４及び位置規制片４２ｂによって押さえカバー４０をハンガー３０の長手方向（前後方向）において位置決めする位置決め手段が構成される。
【００３０】
前記したように、押さえカバー４０が載置されたハンガー３０が複数設けられたハンガー枠２０が固定フレーム１０に引き出し収納可能に支持される。
【００３１】
図１乃至図４に示すように、テーブル状に構成され、左右両側板１１の中央よりやや上方の内側には前後方向に延びるレール１２が固定されており、該レール１２に前記ハンガー枠２０の両側部２４が前後方向に摺動自在に支持されている。これによって、ハンガー枠２０は図３に示す収納位置と図４に示す引出位置との間を移動可能に構成されている。また、固定フレーム１０のハンガー枠２０支持位置の上方に抽斗１３が設けられている。前記抽斗１３には購買者が購買した商品に付随して必要な、スプーン、フォーク、箸、ストロー等々を収納しておき、購買商品と共にレジ袋５０に入れるようにすれば、便利である。しかし、本発明において、固定フレーム１０に抽斗１３を設けておくことは必須ではない。
【００３２】
前記したように、ハンガー３０と押さえカバー４０との間にセットしたレジ袋束５０Ａが後方への位置ずれを起こさないように、適宜のストッパーを設けておくと良い。そのようなストッパーの一例を図１３に示す。
【００３３】
ストッパー６０は、２つのＣチャンネル部材６１、６２と、これら２つのＣチャンネル部材６１、６２を結合する固定ネジ６３とから成る。一方のＣチャンネル部材６１の一方に偏った位置に挿通孔６１ａが形成され、該挿通孔６１ａに固定ネジ６３が挿通される。他方のＣチャンネル部材６２の前縁には外方へ突出したストッパ片６２ａが形成されている。また、前記挿通孔６１ａに対応した位置に挿通孔６２ｂが形成され、そして、前記挿通孔６２ｂに同軸にナット６２ｃが溶接等により固定されている。
【００３４】
前記ストッパー６０は次のようにしてハンガー３０に取り付けられる。他方のＣチャンネル部材６２のストッパ片６２ａがセットされているレジ袋束５０Ａの後端に当接するようにしてハンガー３０の一方の側面に当接し、一方のＣチャンネル部材６１をＣチャンネル部材６２の反対側からハンガー３０の側面に当接し、前記固定ネジ６３をナット６２ｃに螺合する。そして、固定ネジ６３をナット６２ｃにしっかりと螺合することによって、２つのＣチャンネル部材６１、６２によってハンガー３０を挟着し、これによって、ストッパー６０がハンガー３０に取り付けられる。そして、レジ袋束５０Ａの後端がストッパー６０のストッパ片６２ａに当接し、これによって、レジ袋束５０Ａの後方への位置ずれが防止される。
【００３５】
次に、前記した樹脂フィルム製袋の待機保持装置１の使用方法を説明する。
【００３６】
先ず、ハンガー枠２０を、図４に示すように、前方へ引き出す。そこで、押さえカバー４０をハンガー３０から取り除いた状態で、レジ袋束５０Ａを２つ折りにし、ハンガー３０の前端部に駕跨状に吊り下げる。レジ袋束５０Ａをハンガー３０に吊り下げた状態で、該レジ袋束５０Ａの上に重ねるように押さえカバー４０を置き、このとき、押さえカバー４０の位置規制片４２ｂをハンガー３０の前側ガイド片３２の突出片３２ａと前側規制片３４との間に位置させて、押さえカバー４０の前後方向での位置決めをする。それから、ストッパー６０をそのストッパ片６２ａがレジ袋束５０Ａの後端に当接するようにハンガー３０に取り付ける。これで、レジ袋束５０Ａのセットが完了する。
【００３７】
以上のようにして、必要な種類のレジ袋束５０Ａをセットしたら、ハンガー枠２０を、図３に示すように、固定フレーム１０内に収納する。
【００３８】
そして、前記したようにセットされたレジ袋束５０Ａからレジ袋５０を１枚ずつ取り出すのは次のようにする。
【００３９】
先ず、図１４に示すように、２本の指、通常は、親指７１と人差し指７２の腹側を押さえカバー４０の接触用切欠４２ａからレジ袋束５０Ａの一番上に位置しているレジ袋５０のそれぞれ反対側に位置する部分に接触させる。このとき、２本の指７１、７２の腹に適度な湿り気を持たせておくと、レジ袋５０をスムーズに取り出すことが出来る。そのために、例えば、ハンガー枠２０の取手２１に湿らせたタオル等を掛けておくと良い。このとき、上記したように、主部３１の前端部に摘子用突部３６、３６が設けられているため、２本の指７１、７２の腹を摘子用突部３６、３６の下側の位置にあるレジ袋５０の部分に宛うことにより、２本の指７１、７２の第１関節が摘子用突部３６、３６に対応して位置するレジ袋５０の部分に宛われ、レジ袋５０をつまみ易くなる（図７参照）。
【００４０】
次いで、２つの指７１、７２をレジ袋５０に適度に押し付けた状態で手前上方へ引き出すようにする（図１５参照）。これによって、一番上に位置していたレジ袋５０が２番目に位置していたレジ袋５０から分離して手前上方へ引き出されてくる。
【００４１】
そこで、２つの指７１、７２で当該レジ袋５０をつまんでさらに引き出せば（図１６参照）、当該レジ袋５０は確実に取り出される。
【００４２】
前記したように、押さえカバー４０の上面部４１は中央部４１ａと２つの傾斜面部４１ｂとから成るため、押さえカバー４０の上面部４１は中央部４１ａと２つの傾斜面部４１ｂが線接触に近い状態でレジ袋束５０Ａと接触する。そのため、レジ袋束５０Ａにかかる押さえカバー４０の重量は部分的に、且つ、分散されるため、押さえカバー４０の重量がレジ袋５０の取出の障害になることが無く、スムーズに取り出すことが出来る。
【００４３】
また、ハンガー３０に駕跨状に吊り下げられたレジ袋束５０Ａの互いに反対側に位置する部分は、少なくとも前端部において、ハンガー３０の側方規制片３５によって分離されているため、静電気や湿気等によって当該２つの部分が接触し互いにまとわりついて、取出の障害となることがない。
【００４４】
以上に説明したように、前記樹脂フィルム製袋の待機保持装置１によれば、レジ袋５０を２本の指で軽くつまんで引き出すだけで、容易に、且つ、当該レジ袋より下に積み重ねられているレジ袋以下の束を乱すこと無しに、取り出すことが出来る。
【００４５】
なお、前記した最良の形態において示した各部の形状及び構造は、何れも本発明の実施に際して行う具体化のほんの一例を示したものにすぎず、これらによって、本発明の技術的範囲が限定的に解釈されることがあってはならないものである。
【図面の簡単な説明】
【００４６】
【図１】図面は本発明樹脂フィルム製袋の待機保持装置の最良の形態の一例を示すものであり、本図は全体を示す概略正面図である。
【図２】要部の概略平面図である。
【図３】要部の概略左側面図である。
【図４】ハンガー枠を引き出した状態を示す概略右側面図である。
【図５】図６及び図７と共にハンガーを示すものであり、本図は平面図である。
【図６】側面図である。
【図７】正面図である。
【図８】図９と共にハンガー枠を示すものであり、本図は平面図である。
【図９】正面図である。
【図１０】図１１及び図１２と共に押さえカバーを示すものであり、本図は右側面図である。
【図１１】平面図である。
【図１２】正面図である。
【図１３】ストッパーの正面図である。
【図１４】図１５及び図１６と共に樹脂フィルム製袋の取出方法を示すものであり、本図は取出始めの状態を示す概略斜視図である。
【図１５】取出途中の状態を示す概略斜視図である。
【図１６】取出が完了する直前の状態を示す概略斜視図である。
【符号の説明】
【００４７】
１…樹脂フィルム製袋の待機保持装置、１０…固定フレーム、２０…ハンガー枠、３０…ハンガー、４０…押さえカバー、４１…上面部、４１ｃ…取出開口、４２…側面部、４２ａ…接触用切欠部、５０…樹脂フィルム製袋、（３２ａ…ガイド片の突出片、３４…前側規制片、４２ｂ…位置規制片）…位置決め手段
【図１】
2009196697.tif 000003
【図２】
2009196697.tif 000004
【図３】
2009196697.tif 000005
【図４】
2009196697.tif 000006
【図５】
2009196697.tif 000007
【図６】
2009196697.tif 000008
【図７】
2009196697.tif 000009
【図８】
2009196697.tif 000010
【図９】
2009196697.tif 000011
【図１０】
2009196697.tif 000012
【図１１】
2009196697.tif 000013
【図１２】
2009196697.tif 000014
【図１３】
2009196697.tif 000015
【図１４】
2009196697.tif 000016
【図１５】
2009196697.tif 000017
【図１６】
2009196697.tif 000018